(57)【要約】      （修正有）【課題】汎用されているスライド式自動ドアを採用して駆動装置の大型化を抑制する開閉方式にするとともに、風除機能を維持しながら風除室の開口幅を広く確保できる自動ドアの配置構造にして入退場者の混雑を回避可能な出入口の開閉装置を提供する。【解決手段】建造物Ａの出入口に二室を対とする風除室３ａ，３ｂを隣接して配置し、その入口端５および出口端６とその間の一又は二箇所に形成した仕切り部位７に、各一枚の扉板を両風除室の間で相互に移動可能なスライド式自動ドア１１，１２，１３を配設する。そして、それら自動ドアの中から所定のタイミングで交互に開閉動作をする連係組を一組または二組を選択する。入口端５および出口端６は、いずれか一方の風除室が開放され他方が閉鎖された待機状態から、通行者が検出されたときに、各風除室ごと少なくとも一枚の扉板で閉鎖を保持したまま連係組となる自動ドアの開閉動作を連係させる。【選択図】図１
2011094373.tif 000002
【特許請求の範囲】
【請求項１】
建造物の出入口に二室を対とする風除室を隣接して配置し、その入口端および出口端に、各一枚の扉板を両風除室の間で相互に移動可能なスライド式自動ドアを配設するとともに入口端と出口端との間に両風除室を横断する一箇所または二箇所の仕切り部位を形成し、それら各仕切り部位にも各一枚の扉板を両風除室の間で相互に移動可能なスライド式自動ドアを配設して、それら自動ドアの中から所定のタイミングで交互に開閉動作をする連係組を一組または二組を選択し、
入口端および出口端は、いずれか一方の風除室が開放され他方が閉鎖された待機状態から、通行者が検出されたときに、各風除室ごと少なくとも一枚の扉板で閉鎖を保持したまま連係組となる自動ドアの開閉動作を連係させることにより、入口端および出口端の開放・閉鎖位置を反転させ、その反復制御によって風除室を適宜交互に開閉するようにした出入口の開閉装置。
【請求項２】
上記仕切り部位が入口端と出口端との中間に形成された一箇所であり、入口端と出口端との自動ドアを連係組として、その入口端または出口端の扉板が交互に他方の風除室側へ移動するように連係させ、その際に、仕切り部位の扉板が閉鎖している風除室側の入口端または出口端の一方の扉板が先に移動を開始し、その移動が完了した後に他方の扉板が移動を開始し、当該移動が完了した後に仕切り部位における自動ドアの扉板が移動を開始するよう制御されることを特徴とする請求項１記載の出入口の開閉装置。
【請求項３】
上記仕切り部位が入口端と出口端との間に等間隔に形成された二箇所であり、入口端または出口端の自動ドアと仕切り部位の一方または他方の自動ドアとの二組を連係組として、各組の自動ドアは同時に相対方向へ移動する連係動作をするとともに二組の自動ドアはそれぞれ一方の組が移動を完了するまで始動を禁止するようにしたことを特徴とする請求項１記載の出入口の開閉装置。
【発明の詳細な説明】
【技術分野】
【０００１】
本発明は、ホテルや百貨店あるいは病院などの建造物の出入口に構築された開閉装置、詳しくは建造物内に冷気や暖気が入り込むことを防止する風除機能をもたせるために、建造物の出入口に風除室を区画して設けた出入口の開閉装置に関する。
【背景技術】
【０００２】
従来、効果的な風除機能をもたせる出入口の開閉装置として回転ドアが常設されているが、回転する扉板を緊急時に急停止させることができないなど安全性の確保が困難なことから、最近では特許文献１に開示されるような開閉装置が提案されている。
具体的には、入口通路（入路用風除室）および出口通路（出路用風除室）を塞ぐ複数の平面パネル（扉板）を、それぞれ各通路に沿って平行スライド移動させるとともに各通路端において一方の通路から他方の通路へ横スライド移動させる、つまり扉板を入口通路と出口通路との間でスクエア状に循環移動させる装置である。
また、隣接する二つの風除室の屋内外各端部にそれぞれスライド式自動ドアを配設し、その相隣れる風除室の内外自動ドアどうしで開閉動作をインターロック制御するようにした開閉装置が特許文献２に開示されている。
【先行技術文献】
【特許文献】
【０００３】
【特許文献１】特開２００７−１４６５４８号公報
【特許文献２】特開２００９−１２７２０５号公報
【発明の概要】
【発明が解決しようとする課題】
【０００４】
上記特許文献１においては、入口通路及び出口通路を衝立状に塞ぐ扉板が各通路に沿って移動する構造であるため、扉板の端縁と通路の側壁との間の気密性の確保が難しく風除効果が低下する虞がある。また、扉板を両通路間でスクエア循環移動させる方式であるから、自動ドアとしての駆動装置が大型化し施工上の困難性を伴うとともに入口通路（入路風除室）および出口通路（出路風除室）を独立させることが難しく、入場者又は退出者がいない場合でも一方が駆動すれば他方も連動して駆動させる必要があるなど実用上の不具合がみられる。
一方、特許文献２においては、スライド式自動ドアを採用することから特許文献１のような不具合はないものの、各風除室ごとに扉板を配設する構造であるので、各風除室の間口に対して開口幅が略半分の狭さになって入退場者の多い時間帯に混雑の要因になるばかりか、車椅子の通行を困難にする不具合がある。それを解消するため風除室の間口に略相当する開口幅を確保する場合には、開動する扉板を風除室の室外側方へ移動させなければならないので、出入口近傍に戸袋など無駄なデッドスペースを必要とする難点がある。
【０００５】
本発明は、上記従来不具合を解消するために、汎用されているスライド式自動ドアを採用して駆動装置の大型化を抑制する開閉方式にするとともに、風除機能を維持しながら風除室の開口幅を広く確保できる自動ドアの配置構造にして入退場者の混雑を回避可能な出入口の開閉装置を提供することを目的とするものである。
【課題を解決するための手段】
【０００６】
斯る本発明の出入口の開閉装置は、建造物の出入口に二室を対とする風除室を隣接して配置し、その入口端および出口端に、各一枚の扉板を両風除室の間で相互に移動可能なスライド式自動ドアを配設するとともに入口端と出口端との間に両風除室を横断する一箇所または二箇所の仕切り部位を形成し、それら各仕切り部位にも各一枚の扉板を両風除室の間で相互に移動可能なスライド式自動ドアを配設する。そして、前記自動ドアの中から所定のタイミングで交互に開閉動作をする連係組を一組または二組を選択する。また、入口端および出口端は、いずれか一方の風除室が開放され他方が閉鎖された待機状態としておく。その待機状態から通行者が検出されたときに、各風除室ごと少なくとも一枚の扉板で閉鎖を保持したまま連係組となる自動ドアの開閉動作を連係させることにより、入口端および出口端の開放・閉鎖位置を反転させ、その反復制御によって風除室を適宜交互に開閉するようにしたものである（請求項１）。
すなわち本発明は、隣接する二室の風除室の各入口端および出口端と仕切り部位に各一枚の扉板を両風除室の間で相互に移動可能なスライド式自動ドアを配設していること、それら自動ドアの中から開閉動作が連動する連係組が選択されていること、待機状態では、隣り合う二つの入口端の一方が開放状態、他方が閉鎖状態であり、隣り合う出口端では開放・閉鎖状態が前記入口端と反対であること、各風除室ごとに、選択されない少なくとも一枚の扉板が風除室を閉鎖している間に連係組の自動ドアが開閉動作をすることにより入口端および出口端の開放・閉鎖位置を反転させること、を特徴とする。
【０００７】
上記仕切り部位は、入口端と出口端とに配置されるため、その箇所が多くなると自動ドアの台数が増えるばかりでなく、風除室の奥行が長くなり過ぎて実用的でなくなるので一箇所または二箇所とする。
仕切り部位が一箇所の態様においては、風除室の入口端と出口端の中間に形成されるとともに自動ドアはそれぞれに配設された三台となり、前記連係組は必然的に入口端と出口端との自動ドアが選択される。そして、入口端または出口端の扉板が交互に他方の風除室側へ移動するように連係させることになるが、その際に、仕切り部位の扉板が閉鎖している風除室側の入口端または出口端の一方の扉板が先に移動を開始し、その移動が完了した後に他方の扉板が移動を開始し、当該移動が完了した後に仕切り部位における自動ドアの扉板が移動を開始するよう制御されるようにするものである（請求項２）。
【０００８】
また、仕切り部位が二箇所の場合は、風除室の入口端と出口端との間に等間隔に形成された二箇所の態様とし、自動ドアはそれぞれに配設された四台となるので前記連係組は二組が選択される。具体的には、連係組は入口端および出口端と夫々に近い仕切り部位どうしの自動ドアを連係組に選択する態様と、入口端および出口端と夫々から遠い仕切り部位どうしの自動ドアを連係組に選択する態様とがある。
そして、何れの態様においても、各組の自動ドアは同時に相対方向へ移動する連係動作をするとともに二組の自動ドアはそれぞれ一方の組が移動を完了するまで始動を禁止するよう制御されるものである（請求項３）。
【０００９】
なお、各自動ドアは、連係組となる一方側つまり先側の扉板近傍にマットスイッチ、光線センサや光電センサなど周知の起動センサを設置しておき、該センサにより通行者が検知されたときに組となる一方または両方の自動ドアに起動信号を出力するようにして扉板を開動させるようにし、また、扉板の移動域には周知の補助センサ（安全センサ）を設置して該センサが人体を検出したときに扉板を一時的に停止させることが好ましい。
さらに、各風除室の入口端および出口端には、入室の可否を示す信号（例えば、「◎」や「×」を見やすい箇所に配設することが好ましい。
【００１０】
本発明によれば、仕切り部位が一箇所つまり連係組が一組の態様においては、待機状態で、開放している風除室（便宜上、第一風除室という。）の入口端から通行者が入室し出口端の扉板に近づき起動センサにより検出されると、仕切り部位の扉板が他方の風除室（便宜上、第二風除室という。）で停止したまま、第二風除室の入口端と第一風除室の出口端の自動ドアをインターロック制御方式で開閉動作させる。すなわち、仕切り部位の扉板が閉鎖している第二風除室の入口端の扉板が第一風除室へ移動し、その移動が完了（第一風除室の入口端が閉鎖、第二風除室の入口端は開放）した後に第一風除室の出口端の扉板が移動して同風除室の出口端を開放するよう制御する。したがって、第一風除室の出口端に達した通行者は同風除室から退室することができ、一方、前記第二風除室の開放された入口端からは同風除室へ新たに通行者が入室することができる。
そして、インターロック制御による開閉動作が完了した後に仕切り部位の扉板が第二風除室から第一風除室へ移動を開始し、その移動により第二風除室に入室した通行者は出口端側へ進むことができ、その通行者が出口端の扉板に近づくことにより、入口端と出口端の自動ドアが前述と同様にインターロック制御され（但し、先に移動する扉板が反対）同様の動作を反復して出口端から退室することができる。
【００１１】
一方、仕切り部位が二箇所つまり連係組が二組の態様においては、待機状態で、開放している風除室（便宜上、第一風除室という。）の入口端から通行者が入室し前方の扉板に近づき起動センサにより検出されると、他方の風除室（便宜上、第二風除室という。）の入口端とそれの連係組になっている第一風除室の仕切り部位の自動ドアを同時連動制御方式で開閉動作させる。
すなわち、第二風除室の入口端の扉板が第一風除室へ移動し始めて同入口端を開放し始めると同時に、第一風除室の仕切り部位の扉板が第二風除室へ移動し始め、その移動が完了するよう制御する。それにより、第一風除室は入口端が閉鎖され、かつ仕切り部位が開放され、第二風除室は入口端が開放される。その間、他方の連係組の自動ドアは始動を禁止されるので各風除室の閉鎖状態は保持されている。したがって、第一風除室に入室した通行者は出口端へ進むことができるとともに第二風除室の入口端から新たな通行者が入室することができる。
そして、第一風除室の出口端に達した通行者が起動センサにより検出されると、他方の連係組の自動ドアどうしが同様に同時連動制御方式で開閉動作をするので、第一風除室の通行者は出口端から退室することができるとともに、第二風除室に入室した通行者が仕切り部位の扉板に近づき起動センサにより検出されると、扉の移動方向が反対であるが、前述と同様の動作を反復して第二風除室の通行者も出口端から退出することができる。
【発明の効果】
【００１２】
斯る本発明によれば、風除室の入口端、出口端および仕切り部位の自動ドアが、各一枚の扉板を両風除室の間で相互に移動可能なスライド式であるので、汎用されているスライド式自動ドアの駆動装置を使用することができて駆動装置の大型化を回避することができ、また、風除室の入口端および出口端は風除室の間口に相当する開口幅を確保することができて入退場者の混雑が回避可能である。
【図面の簡単な説明】
【００１３】
【図１】本発明の概要を説明する第１実施例の断面平面図である。
【図２】図１を屋外側から視た正面図である。
【図３】第１実施例における自動ドアの開閉動作を説明する断面平面図である。
【図４】本発明の第２実施例における開閉動作を説明する断面平面図である。
【図５】本発明の第３実施例における開閉動作を説明する断面平面図である。
【発明を実施するための形態】
【００１４】
本発明の実施形態を図面により説明すれば、図１および図２は本発明の基本形態を説明するための第１実施例の構成図である。
同図において、建造物Ａに構築された出入口１は、床面と天井面との間に側壁２，２…で区画された平面視矩形状の風除室３ａ，３ｂ，４ａ，４ｂが形成されている。
風除室は、その左側二つの風除室３ａ，３ｂを入路用風除室つまり入場者（通行者）が建造物Ａ内へ入ろうとする入口通路とし、右側二つの風除室４ａ，４ｂを出路用風除室つまり退場者（通行者）が建造物Ａ外へ出ようとする出口通路としている。
【００１５】
入路用の風除室３ａ，３ｂは、二室が対となるよう隣接して配置するとともに入口端（屋外側）と出口端（屋内側）にそれぞれ両室に渉って横断する入口部位５，出口部位６を形成し、その入出各部位５，６にそれぞれ自動ドア１１，１２を設置する。
また、風除室３ａ，３ｂの中間位置には、両室に渉って横断する仕切り部位７を形成し、その仕切り部位７にも自動ドア１３を設置する。
そして、各風除室３ａ，３ｂを区画する側壁２は、入口部位５，出口部位６および仕切り部位７の各部分に前記自動ドアを設置するため強度の高い方立２ａを使用し、それら各部位両端に対向する方立２ａ，２ａ間の上部に渉って無目９を架設し（図２にのみ示す）、その各無目９内に図示しない自動ドア１１，１２，１３の駆動装置を装備している。
上記方立２ａ以外の側壁２は、隣の風除室内を透視できるようにガラス材や透明プラスチック材を使用することが好ましい。
【００１６】
自動ドア１１，１２，１３は、それぞれ風除室３ａ，３ｂの間口幅に略相当する各一枚の扉板１１ａ，１２ａ，１３ａを有するスライド式の自動ドアであり、その各扉板１１ａ，１２ａ，１３ａが入口部位５，出口部位６，仕切り部位７において両風除室３ａ，３ｂの間を移動して各風除室を交互に開閉させるようにする。
各自動ドア１１，１２，１３は、各種のセンサとその検知信号によりコントローラを介して所定速度で開閉動作をする周知技術であるので、必要な範囲について説明すれば、出口部位６に配設した自動ドア１２には、風除室３ａ，３ｂの室内側に、扉板１１ａに近づいた通行者を検知するマットスイッチや光線センサなどの起動センサ（便宜上、センサに代えた検知範囲を図示している）１５ａ，１５ｂを室内側に備えている。また、風除室３ａ，３ｂの出口部位６には、光電センサなどの補助センサ又は安全センサ（便宜上、センサに代えた光線を図示している）１７ａ，１７ｂを備えている。
【００１７】
また、入口部位５および出口部位６の無目９には、風除室３ａ，３ｂのそれぞれに、入室の可否を少し離れた位置から目視できるような信号１８ａ，１８ｂを設けておくことが好ましい。信号１８ａ，１８ｂは、例えば、入室を許可する信号「◎」と入室を禁止する信号「×」などの表示であり、出口部位６の信号は常に入室を禁止する信号「×」としておく。
【００１８】
そして、入路用の風除室３ａ，３ｂは、待機状態ではいずれか一方の入口端が開放され他方を閉鎖された状態とするが、図示の入口部位５は、風除室（第１風除室）３ａの入口端が開放され風除室（第２風除室）３ｂが扉板１１ａにより閉鎖された状態としている。それに合せて、入口部位５の無目９には、第１風除室３ａ側には入室を許可する信号「◎」を表示し、他方の第２風除室３ｂ側には入室を禁止する信号「×」を表示する。
【００１９】
なお、上記は入口通路つまり入路用の風除室３ａ，３ｂの基本的な構成について説明したが、出口通路つまり出路用風除室４ａ，４ｂの構成は、入口端、出口端すなわち入口部位５’及び出口部位６’が建造物Ａの屋内外逆位置である点で相違するがその他は同一の構成である。したがって、説明の重複を避けるために、同種の部材にコンマ「’」を加えた同一符号を付して図示し説明を省略する。
【００２０】
而して、上記第１実施例における通行動作例を入口通路の場合について図３に基づいて説明する。
図３（１）は待機状態であって図１と同様であり、第１風除室３ａは、入口部位５および仕切り部位７が開放されて出口部位６が扉板１２により閉鎖され、第２風除室３ｂは、入口部位５および仕切り部位７が扉板１１ａおよび１３ａにより閉鎖された状態である。
したがって、入場者は第１風除室３ａの入口端から入室することができる。
第１風除室３ａに入室した入場者が開放されている仕切り部位７を通って自動ドア１２の扉板１２ａに近づくと、図３（２）に示すように起動センサ１５ａにより検出（ＯＮ）される。
【００２１】
第１実施例においては、自動ドア１１，１２を連係組に設定しているので両ドアが次のようなインターロック制御により開閉移動される。
すなわち、図３（３）に示すように、仕切り部位７が閉鎖されている第２風除室３ｂの扉板１１ａが入口部位５を第１風除室３ａ側へ移動し、その移動が完了して第１風除室３ａの入口端を閉鎖するまで、図３（４）に示すように、第１風除室３ａの出口端の扉板１２ａが閉鎖状態を保持して風除機能を確保する。そして、扉板１１ａの移動が完了すると、図３（５）に示すように、組となる自動ドア１２も扉板１２ａが出口部位６を第１風除室３ａから第２風除室３ｂ側へ移動する。それにより、開放した第２風除室３ｂの入口端から新たな入場者が入室することができるとともに、図３（６）に示すように、第１風除室３ａに入室している入場者が開放した第１風除室３ａの出口端から退出して建造物内へ入ることができる。
【００２２】
次いで、図３（７）に示すように、仕切り部位７の自動ドア１３が起動して扉板１３ａが仕切り部位７を移動するので、図３（８）に示すように、第２風除室３ｂに入室した入場者が開放された仕切り部位７を通して前進することができ、その入場者が自動ドア１２の扉板１２ａに近づくと、図３（９）に示すように起動センサ１５ｂにより検出（ＯＮ）されるので、扉板１１ａ，１２ａの移動方向が逆向きであるが自動ドア１１，１２がインターロック制御により開閉移動される。
【００２３】
すなわち、図３（１０）に示すように、仕切り部位７が閉鎖されている第１風除室３ａの扉板１１ａが入口部位５を第１風除室３ａから第２風除室３ｂ側へ移動し、その移動が完了して第１風除室３ａの入口端を閉鎖するまで、図３（１１）に示すように、第２風除室３ｂの出口端の扉板１２ａが閉鎖状態を保持して風除機能を確保する。そして、扉板１１ａの移動が完了すると、図３（１２）に示すように、組となる自動ドア１２も扉板１２ａが出口部位６を第２風除室３ｂから第１風除室３ａ側へ移動する。それにより、開放した第１風除室３ａの入口端から新たな入場者が入室することができるとともに図３（１３）に示すように、第２風除室３ｂに入室している入場者が開放した第２風除室３ｂの出口端から退出して建造物内へ入ることができる。
【００２４】
その後に、図３（１４）に示すように、仕切り部位７の自動ドア１３が起動して扉板１３ａが仕切り部位７を第１風除室３ａから第２風除室３ｂへ移動し、その移動が完了すると図３（１）に示す初期状態に戻る。したがって、入場者がいる限り自動ドア１１，１２，１３が前述と同様の開閉動作を繰り返すことにより、風除室の風除機能を確保しながら入場者の通行を可能にするものである。
【００２５】
なお、図３（５）または図３（１２）に示すように、出口部位６における扉板１２ａが第２風除室３ｂまたは第１風除室３ａを閉鎖する方向へ移動するときに、開放している第２風除室３ｂまたは第１風除室３ａの出口部位６に退室しようとする通行者が残り補助センサ１７ｂまたは１７ａにより検出された場合には、扉板１２ａの移動を一時的に停止させるとともに検出信号の解除により扉板１２ａの移動を復帰させる。それにより、通行者と扉板１２ａとの衝突を防止して安全性を確保するようにする。
【００２６】
次に、図４は本発明の第２実施例であって対となる入路用の風除室のみを示し、出路用の風除室は省略している。
この第２実施例は、図３との対応から明らかなように、第１風除室１０３ａ，第２風除室１０３ｂの入口部位１０５と出口部位１０６との間の二箇所に、等間隔をおいて仕切り部位１０７，１０８を配設した態様である点で第１実施例と相違している。
【００２７】
そして、上記入口部位１０５に扉板１１１ａを有する自動ドア１１１を設置し、出口部位１０６に扉板１１２ａを有する自動ドア１１２を設置することは第１実施例と同様であり、仕切り部位１０７に扉板１１３ａを有する自動ドア１１３を設置するとともに仕切り部位１０８にも扉板１１４ａを備えた自動ドア１１４を設置する。それら自動ドア１１１〜１１４は、いずれもスライド式自動ドアであって、その各扉板１１１ａ，１１２ａ，１１３ａ，１１４ａが入口部位１０５，出口部位１０６，仕切り部位１０７，１０８において両風除室１０３ａ，１０３ｂの間を移動して各風除室を交互に開閉させるものである。
なお、上記入口部位１０５および出口部位１０６の無目に入室の可否を表示する信号を設け、出口部位１０６に補助センサ又は安全センサを配設しておくことは図１に示した基本形態と同様である。
【００２８】
上記自動ドアは、入口部位１０５の自動ドア１１１とそれに近い仕切り部位１０７の自動ドア１１３を、出口部位１０６の自動ドア１１２とそれに近い仕切り部位１０８の自動ドア１１４をそれぞれ連係組に設定し、各組の自動ドアが、後述するように、それぞれ同時連動制御方式で開閉移動するようにする。また、各組の自動ドアは、それぞれ入場者の進行方向前側の自動ドア、すなわち、仕切り部位１０７における自動ドア１１３の扉板１１３ａに接近した入場者を検知する起動センサ１１６ａ、１１６ｂと、出口部位１０６における自動ドア１１２の扉板１１２ａに接近した入場者を検知する起動センサ１１５ａ，１１５ｂを備えている。
【００２９】
而して、上記第２実施例における通行動作例を入口通路の場合について図４に基づいて説明するが、待機状態は、図４（１）に示すとおり、第１風除室１０３ａにおいては、入口部位１０５および仕切り部位１０８が開放されて出口部位１０６および仕切り部位１０７が扉板１１２ａ，１１３ａにより閉鎖され、第２風除室１０３ｂにおいては、出口部位１０６および仕切り部位１０７が開放されて入口部位１０５および仕切り部位１０８が扉板１１１ａ，１１４ａにより閉鎖された状態である。
したがって、入場者は第１風除室１０３ａの入口端から入室することができる。
【００３０】
第１風除室１０３ａに入室した入場者が、直前の仕切り部位１０７を閉鎖している自動ドア１１３の扉板１１３ａに近づくと、図４（２）に示すように、起動センサ１１６ａにより検出（ＯＮ）される。それにより、自動ドア１１３とその連係組の自動ドア１１１が同時連動方式制御で開閉移動する。すなわち、図４（３）に示すように、入口部位１０５および仕切り部位１０７の扉板１１１ａ，１１３ａが同時に逆方向、つまり扉板１１１ａが第２風除室１０３ｂから第１風除室１０３ａへ向け、扉板１１３ａが第１風除室１０３ａから第２風除室１０３ｂへ向けて移動する。
したがって、入場者は図４（４）に示すように、開放した第１風除室１０３ａの仕切り部位１０７を通り、さらに仕切り部位１０８を通過して出口部位１０６まで進むことができるとともに入口部位１０５においては開放された第２風除室１０３ｂの入口端から新たな入場者が入室することができる。
【００３１】
そして、第１風除室１０３ａの出口部位１０６に達した入場者が、図４（５）に示すように、自動ドア１１２の起動センサ１１５ａにより検出（ＯＮ）されると、図４（６）および図４（７）に示すように、今度は自動ドア１１２とその連係組の自動ドア１１４が同時連動方式制御で開閉移動するので、第１風除室１０３ａの出口部位１０６に進んだ入場者は、図４（８）に示すように、開放された出口端から退出して建造物内へ入ることができる。
【００３２】
一方、第２風除室１０３ｂの入口端から入った入場者が直前の仕切り部位１０７を閉鎖している自動ドア１１３の扉板１１３ａに近づくと、図４（９）に示すように起動センサ１１６ｂにより検出され、それにより、自動ドア１１３とその連係組の自動ドア１１１が前述した場合と移動方向が逆向きであるが、図４（１０）および図４（１１）に示すように同時連動方式制御で開閉移動する。そこで、第２風除室１０３ｂの前記入場者が前進し図４（１１）に示すように、仕切り部位１０７および仕切り部位１０８を通過して出口部位１０６に達し、図４（１２）に示すように、自動ドア１１２の起動センサ１１５ｂにより検出されると、図４（１３）および図４（１４）に示すように、自動ドア１１２とその連係組の自動ドア１１４が同時連動方式制御で開閉移動する。
したがって、第２風除室１０３ｂの出口部位１０６に進んだ入場者は、図４（１５）に示すように、開放された出口端から退出して建造物内へ入ることができる。
【００３３】
この図４（１５）は、前述した図４（１）の初期状態に戻ったものであり、したがって、入場者がいる限り自動ドア１１１，１１２，１１３，１１４が前述と同様の開閉動作を繰り返すことにより、風除室の風除機能を確保しながら入場者の通行を可能にするものである。
【００３４】
本発明の第３実施例を図５により説明すると、図４は第２実施例と同様に対となる入路用の風除室のみを示し、出路用の風除室は省略している。
この第３実施例は、入口部位１０５と出口部位１０６との間の二箇所に等間隔をおいて仕切り部位１０７，１０８を配設して、その各部位に自動ドア１１１〜１１４を設置したことは第２実施例と同一であるが、その自動ドアの連係組が異なることが異なること、それに対応して扉板１１１ａ〜１１４ａの初期状態および移動順序が異なる点で相違するだけである。
【００３５】
すなわち、上記自動ドアは、入口部位１０５の自動ドア１１１とそれから離れた仕切り部位１０８の自動ドア１１４を、出口部位１０６の自動ドア１１２とそれから離れた仕切り部位１０７の自動ドア１１３をそれぞれ連係組に設定し、各組の自動ドアがそれぞれ同時連動制御方式で開閉移動するようにする。また、各組の自動ドアは、それぞれ入場者の進行方向前側の自動ドア、すなわち、仕切り部位１０８における自動ドア１１４の扉板１１４ａに接近した入場者を検知する起動センサ１１６ａ、１１６ｂと、出口部位１０６における自動ドア１１２の扉板１１２ａに接近した入場者を検知する起動センサ１１５ａ，１１５ｂを備えている。
【００３６】
そして、待機状態は、図５（１）に示すとおり、第１風除室１０３ａにおいては、入口部位１０５および仕切り部位１０７が開放されて出口部位１０６および仕切り部位１０８が扉板１１２ａ，１１４ａにより閉鎖され、第２風除室１０３ｂは、出口部位１０６および仕切り部位１０８が開放されて入口部位１０５および仕切り部位１０７が扉板１１１ａ，１１３ａにより閉鎖された状態である。
したがって、入場者は第１風除室１０３ａの入口端から入室することができる。
【００３７】
而して、第３実施例における入口通路の通行動作例を図５により説明すれば、図５（１）の初期状態において、第１風除室１０３ａに入室した入場者が、仕切り部位１０７を通過して仕切り部位１０８を閉鎖している自動ドア１１４の扉板１１４ａに近づいたときに、図５（２）に示すように、起動センサ１１６ａにより検出（ＯＮ）される。それにより、自動ドア１１４とその連係組の自動ドア１１１が同時連動方式制御で開閉移動する。すなわち、図５（３）および図５（４）に示すように、入口部位１０５および仕切り部位１０８の扉板１１１ａ，１１４ａが同時に逆方向、つまり扉板１１１ａが第２風除室１０３ｂから第１風除室１０３ａへ向け、扉板１１４ａが第１風除室１０３ａから第２風除室１０３ｂへ向けて移動する。
したがって、入場者は図５（５）に示すように、開放した第１風除室１０３ａの仕切り部位１０８を通り出口部位１０６まで進むことができるとともに入口部位１０５においては開放された第２風除室１０３ｂの入口端から新たな入場者が入室することができる。
【００３８】
そして、第１風除室１０３ａの出口部位１０６に達した入場者が、自動ドア１１２の起動センサ１１５ａにより検出されると、図５（６）および図５（７）に示すように、今度は自動ドア１１２とその連係組の自動ドア１１３が同時連動方式制御で開閉移動するので、第１風除室１０３ａの出口部位１０６に進んだ入場者は、図５（８）に示すように、開放された出口端から退出して建造物内へ入ることができる。
【００３９】
一方、第２風除室１０３ｂの入口端から入った入場者が仕切り部位１０７を通過して仕切り部位１０８を閉鎖している自動ドア１１４の扉板１１４ａに近づくと、図５（９）に示すように起動センサ１１６ｂにより検出される。それにより、自動ドア１１４とその連係組の自動ドア１１１が前述した場合と移動方向が逆向きであるが、図５（１０）および図５（１１）に示すように同時連動方式制御で開閉移動する。そこで、第２風除室１０３ｂの前記入場者が前進して図５（１２）に示すように出口部位１０６に達し、図５（１３）に示すように自動ドア１１２の起動センサ１１５ｂにより検出されると、図５（１４）および図４（１５）に示すように、自動ドア１１２とその連係組の自動ドア１１３が同時連動方式制御で開閉移動する。
したがって、第２風除室１０３ｂの出口部位１０６に進んだ入場者は、図５（１５）に示すように、開放された出口端から退出して建造物内へ入ることができる。
【００４０】
この図５（１５）は、前述した図５（１）の初期状態に戻ったものであり、したがって、入場者がいる限り自動ドア１１１，１１２，１１３，１１４が前述と同様の開閉動作を繰り返すことにより、風除室の風除機能を確保しながら入場者の通行を可能にするものである。
【００４１】
なお、第２実施例および第３実施例において、第１実施例における補助センサ１７ａまたは１７ｂの説明を省略したが、通行者の安全性を確保するために補助センサを具備していることは同様である。
【００４２】
また、いずれの実施例においても、入口通路つまり入路用の風除室３ａ，３ｂ，１０３ａ，１０３ｂにおける入場者の通行動作例のみを説明し、説明の重複を避けるために出口通路つまり出路用の風除室における退場者の通行動作例を省略したが、退場者（通行者）の進行方向が各実施例説明と反対になるよう自動ドアを制御する点が相違するだけで、具体的な制御方式は上記説明と同様である。
【００４３】
なお、図１および図２においては、入路用の風除室３ａ，３ｂと出路用の風除室４ａ，４ｂを隣接して配置した構造を例示したが、それらを離して設置すること、あるいは建造物内の離れた区域に配設することも任意である。
また、緊急避難用の方策として、入路用風除室、出路用風除室のいずれも二室の中の一室に各自動ドアの扉板を移動させて避難用通路を開放させるようにすることも可能である。
さらに、深夜時など入退場者がいない時間帯には、出入口１の屋外側にシャッターを下ろす等により防犯措置を講ずるものである。
【符号の説明】
【００４４】
Ａ：建造物                            １：出入口
３ａ，３ｂ：風除室（入路用）          ４ａ，４ｂ：風除室（出路用）
５：入口部位                          ６：出口部位
７：仕切り部位                        １１，１２，１３：自動ドア
１１ａ，１２ａ，１３ａ：扉板            １０３ａ，１０３ｂ：風除室（入路用）
１０５：入口部位                      １０６：出口部位
１０７：仕切り部位                    １０８：仕切り部位
１１１，１１２，１１３，１１４：自動ドア
１１１ａ，１１２ａ，１１３ａ，１１４ａ：扉板
【図１】
2011094373.tif 000003
【図２】
2011094373.tif 000004
【図３】
2011094373.tif 000005
【図４】
2011094373.tif 000006
【図５】
2011094373.tif 000007